(57)【特許請求の範囲】
【請求項１】
ノック式筆記具等に装着される、先端にボールペンのチップを後方にインキ収容管を有したボールペンのリフィールに於いて、チップ内孔にスプリングが内挿されてスプリングの先方でチップ先端部に回転自在に抱持された先端ボールの後端を押圧して、先端ボールがチップのボール抱持部の内縁に密接されてインキの流出が阻止されるように設けられ、インキ収容管には低粘度の油性インキ又は基本的には低粘度であるが、静的には高い粘性を有し筆記時の先端ボールの回転で粘性が低下してインキが流出される、所謂剪断減粘性を有した水性インキが充填され、インキの後端にインキの消耗と共に追随して移動するグリース状のフォロアが設けられて、更にインキ収容管の後端から適宜突出する外軸部を有する押し体が前記スプリングの後端を押圧側に連動するよう連結されて設けられたことを特徴とするボールペンのリフィール。
【請求項２】
チップ後端孔に連通する継ぎ手後方内孔部に、上記スプリングの後端を受けて前進可能な状態で後退阻止される受け体が配設されて、当該受け体と上記押し体が連動するように設けられた上記請求項１記載のボールペンのリフィール。
【請求項３】
継ぎ手の先端孔にチップの後端が固着され、継ぎ手後方の軸部にインキ収容管が固着されて、継ぎ手の軸心部に於いて、チップ後端に連通して内孔部が設けられ、該内孔部内にスプリングの後端を受けて前進可能な受け体が設けられ、受け体の後端と上記押し体の先端との間が針棒で連結されて成る上記請求項２記載のボールペンのリフィール。
【請求項４】
グリース状のフォロア内にそれと略同等の比重を有する樹脂製のフォロア棒が浸漬され、該フォロア棒の軸心に貫通孔が設けられて、貫通孔に上記受け体と押し体との連結部が遊嵌されて成る上記請求項２又は３記載のボールペンのリフィール。
【発明の詳細な説明】
【０００１】
【産業上の利用分野】
本発明は、ノック式筆記具等に装着されるボールペンのリフィールの改良に関する。
【０００２】
【従来の技術】
ノック式筆記具は種々あるが、その一例として同出願人により提出した実公平４ー７９９９号公報がある。此のものは筆記先端部が突出したままでは胸ポケット等の被挟持部分にクリップ挟持できないように構成して衣服を筆記先端部で汚さないように工夫されている。
概説すると、ストッパー片を突設した当接ピンを設け、筆記具を胸ポケット等に挿した場合にポケット縁に係合してストッパー片を押し上げてクリップ挟持でき、且つ、ノック棒後端に外力が加わりノック棒が先端方向に移動しようとする時に当該ストッパー片かポケット縁に係合しているため移動せず、従って、ノック棒も移動せず、軸先から筆記先端部が突出するのを防止する工夫を行った。
即ち、図３の縦断面図に示す構造でクリップ４をポケット縁に挟持する場合、バネ板７とストッパー片６ａとの間に入り込む衣服（ポケット縁）はストッパー片６ａの凸部６ｅに係合してストッパー片６ａ、当接ピン６をコイルバネ１６に抗して押し上げる。この係合状態でノック棒１１の上端の尾栓１３が外衝で押し下げられても軸１の先端方向に移動せず、従って筆記先端部は先金１８の先端孔から突出することがない。
【０００３】
又、  同出願人は実公平４ー５２０６７号でボールを遊嵌した弁室を設けたボールペンのインキの逆流防止機構を開示している。此のものは、合成樹脂製の口プラでボールを遊嵌する弁室内にボールを抜出不能とする突条を所要数設けて、筆記時には突条と突条との間に形成される隙間を連通してチップにインキが流動されるように成されている。又、筆記時の先端ボールの回転で粘性が低下してインキが流出される剪断減粘性を有する水性インキを使用したボールペンが知られている。
【０００４】
一般に低粘度の油性インキ又は基本的には粘度の低い、剪断減粘性を有した水性インキを使用したボールペンは、インキの流出量が多く（筆記濃度を上げるため）インキ収容管の径を太くしてインキの搭載量を多くしている。又、インキの粘度は通常の油性ボールペンのインキに比べて小さいのでインキ収容管に対する流動抵抗は小さい。従って、インキの自重や衝撃によりインキ漏れ（インク収容管の後端にインキが逆流する）が生じやすい。特に、ノック式筆記具に装着した場合には頻繁なノック衝撃でインキの逆流やその影響に起因する筆記掠れの発生がある。その為に、通常はインキの後端に筆記時のインキの消耗に追随して移動するがインキの自重や衝撃に対してインキの逆流を抑制するグリース状のフォロアが、又、必要によりフォロア棒がフォロア内に漬積して設けられる。しかしながら、フォロアを設けても上向きにした時にはチップのボール直下のインキが無くなると、インキのヘッドが直に加わる為に顕著な逆流が生じて手や衣服を汚す危険がある。又、インキの粘度が低く流出量が多いが故に、チップ側を下向きにした場合に先端ボールとチップ抱持部の隙間が生じるとインキが滲みでる直流問題が存在する。又、隙間からの空気の巻き込み、水性インキの場合乾燥の問題で筆記掠れが生じる。
【０００５】
そこで、先端ボールの背面をスプリングで押圧してチップ抱持部の内縁に先端ボールを密接させる方法があるが、押圧力が強すぎるほど先端ボールの回転がスムーズに行かず筆感が極端に悪くなる。その為に、通常は２〜１０ｇ程度の押圧力に設定するが、バラツキで０〜２０ｇ程度が存在する。
又、押圧力が弱すぎると上述したインクの直流、逆流防止に支障を生じる。特にノックや落下衝撃に対し問題となる。又、先端ボールとチップ抱持部の隙間にインキ増粘分が付着して密接状態が悪くなり筆記掠れの原因となる問題もある。
【０００６】
【発明が解決しようとする課題】
ノック式筆記具等に装着されるボールペンのリフィールであって、当該リフィールは粘性の低い油性インキ又は筆記時のボールの回転で粘性が低下してインキが流出される剪断減粘性を有した水性インキを使用したものであり、上向きや先端ボール直下の空気巻き込みに伴うインキ切れで起きる筆記掠れを防止可能とする。
又、筆記先端部を軸内に収納した状態で、上記先端ボールへの押圧力を強くして落下、ノック衝撃によって生じるインキの逆流とチップ側を下向きに置いた時の直流を確実に防止して、筆記具内や手、衣服を汚損する危険を無くすと共に、先端ボールとチップ抱持部の内縁とのシール不完全に伴う乾燥で起きる筆記掠れを確実に防止する。又、筆記時に於いては先端ボールへの押圧力を弱くして筆感を維持可能とする。
【０００７】
【課題を解決するための手段】
ノック式筆記具等に装着される、先端にボールペンのチップを後方にインキ収容管を有したボールペンのリフィールに於いて、継ぎ手の先端孔にチップの後端が固着され、継ぎ手後方の軸部にインキ収容管が固着されて、チップ内孔にスプリングが内挿されてスプリングの先方でチップ先端部に回転自在に抱持された先端ボールの後端を押圧して、先端ボールがチップのボール抱持部の内縁に密接されてインキの流出が阻止されるように設けられ、インキ収容管には低粘度の油性インキ又は基本的には低粘度であるが、静的には高い粘性を有し筆記時の先端ボールの回転で粘性が低下してインキが流出される、所謂剪断減粘性を有した水性インキが充填され、インキの後端にインキの消耗と共に追随して移動するグリース状のフォロアが設けられて、更にインキ収容管の後端に、適宜突出する外軸部を有する押し体が配設されて、継ぎ手の軸心部に於いて、チップ後端に連通して内孔部が設けられ、該内孔部内にスプリングの後端を受けて前進可能な受け体が配設され、受け体の後端と押し体の先端との間が針棒で連結されて、押し体の押圧移動で先端ボールに対する押圧が強くなり、押し体の解放状態で先端ボールが弱い力で押圧状態とされる。
【０００８】
【実施例】
図１及び図２は本発明の実施例を示している。又、図３乃至図５はボールペンのリフィールを装着した上記説明のノック式筆記具を示している。
先ず、図１に於いて、ボールペンのリフィール２０はチップ２１、スプリング２５、継ぎ手２７、受け体３４、インキ収容管５０、尾栓４２、押し体４６の主要部で構成される。継ぎ手２７は合成樹脂により一体成形で形成されており、その前半に大径部３０、中径部２９、小径部２８が形成され、後半にインキ収容管５０に圧着する軸部３１が形成されている。又、軸心には孔が貫通しており、前記小径部２８の先端孔にはボールペンのチップ２１の後方の軸部２４が圧着される。又、軸部２４の後端に対接する後方に内孔部３１ａが形成され、該内孔部３１ａの略後端に突条又は周状に膨出した突部３２が設けられている。
又、中径部２９から大径部３０の外周部に懸けて所要箇所で通気溝３３が形成されている。（これは、当該リフィールをキャップ式の筆記具に装着する時に通気上必要となるものである）
【０００９】
一方、チップ２１はインキ流入可能なチャンネル２１ｂを有した座に先端ボール２２が略当接した状態で先端ボール２２が回転自在に抱持されるようカシメ部２１ａが設けられている。又、チップ２１の内孔２３にスプリング２５が内挿され、又、スプリング２５の先方には直立状の棒軸部２６が形成され、棒軸部２６の先端が先端ボール２２の背面に押圧状に当接している。
尚、先端ボール２２はスプリング２５の押圧でチップ２１のボール抱持部（カシメ等で形成）の内縁に密接状態と成される。
【００１０】
又、受け体３４は、軸心に前軸部３５と後軸部３９を有し、後軸部３９の前方から前軸の前方に懸けて軸心部の外周所要箇所に軸線上にリブ３７が設けられ、リブ３７の後方はやや大径に形成され後端部３６を有している。又、先端のリブとリブとの間に於いて上記スプリング２５の後端部を受ける凹部が形成され、後軸部３９には後端側から孔４０が形成されている。
又、孔４０には針棒４１の先端が固定される。又、前記受け体３４は継ぎ手の軸部３１の後端から内孔部３１ａ内に嵌挿され、弾性変形を利用して前記後端部３６が突部３２に係止されると共に、前記先端の凹部にスプリング２５の後端部が保持される。尚、リブとリブとの間にインキの流通溝３８が形成される。
【００１１】
又、継ぎ手２７の上記軸部３１の外周には筒状のインキ収容管５０がその先端を大径部３０後端の鍔部３０ａに当接して圧着される。ところで、実施例に於いては、継ぎ手２７とインキ収容管５０が別体に設けられているが、一体の樹脂成形品で形成することも可能である。又、インキの残量が判るように少なくともインキ収容部（インク収容管）が透明な樹脂で選択される。
【００１２】
又、インキ収容管５０内には低粘度の油性インキ又は基本的には低粘度であるが、静的には高い粘性を有し、筆記時のボールの回転で粘性が低下してインキが流出可能となる剪断減粘性を有した水性インキ５１が充填され、インキ５１の後端にインキの消耗と共にインキ面に接触し追随して移動可能なグリース状のフォロア５２が充填される。又、フォロア５２内に該フォロア５２と略同等の比重を有する樹脂製のフォロア棒５３が浸漬される。尚、フォロア棒５３は必要により（インキ収容管が太く、インキのヘッドが大きくなる。又、インキの粘性が低くインキのヘッドが支えきれない等）設けられ、その軸心部に貫通孔５４が設けられて、上記針棒４１に対し遊嵌状態と成される。
【００１３】
又、インキ収容管５０の後端には尾栓４２が固着される。尚、尾栓４２の外周部所要箇所にインキ収容管５０の内部と外部を通気する通気溝４３が設けられ、前方の内孔４４後端に内段部４５が設けられ後端に貫通孔を有している。
又、押し体４６は前方に内軸部４９ａと後方に段部４８を有してやや細径の外軸部４９ｂが形成されており、前端より軸心部に孔４７が設けられている。
押し体４６は尾栓４２の固着前に挿入され、前記孔４７に上記針棒４１の後端が嵌挿される。尾栓４２の固着後には前記段部４８が内段部４５に略当接状態となり、外軸部４９ｂが尾栓４２の後端孔から適宜突出状態となる。
尚、その時、上記受け体の後端部３６が継ぎ手内孔部の突部３２に係止した状態と成される。又、針棒４１に不用意な押圧を懸けないように尾栓４２と押し体４６の間に押し体４６を後方に付勢するスプリングを設けることもある。
【００１４】
【作用】
次に作用について説明する。図３で、尾栓１３の後端をノックして押し下げると、ノック棒１１がボールペンのリフィール２０の後端を押して前進させるが、ストッパー片６ａは、上記所定の隙間Ｓａだけ移動して窓部３の下縁３ａに当接して前進を阻止される。この時、ストッパー片６ａの凸部６ｅは窓部３の範囲内に位置する。更に、尾栓１３を前進させるとストッパー片６ａは固定されたままでノック棒１１だけが前進し、クリップ４の玉部５とノック棒１１の凹部との互いの係止部に於いて係合し筆記先端部１７を突出状態に固定する。（図４参照）次にクリップ４の押圧部４ａを軸１面に押すと前記係合状態を解除して筆記先端部等が没入状態に復帰する。
【００１５】
次に、図５のポケット装着時の断面図に示すように、クリップ４をポケット等に挿す場合、バネ板７とストッパー片６ａとの間に入り込む衣服ａ（ポケット部分）はその上縁をストッパー片６ａの凸部６ｅに当接してストッパー片６ａ、当接ピン６をコイルバネ１６に抗して押し上げる。衣服ａが厚地の場合で、挿入時にストッパー片６ａを軸１側に押し込むことがあっても凸部６ｅが軸１の外面に接触又は対向しているから後退阻止されることなく移動し、クリップ４を正しい深さまで押し込める。又、ポケット縁に凸部６ｅが係合しているから、尾栓１３が外衝でノックされても軸１の先端方向に移動せず、（但し、Ｓのストロークは移動）従って、筆記先端部１７は先金１８の先端孔から突出しない。
ところで、上述したノック式筆記具はリフィール２０の外軸部４０ｂの後端が当接する当接ピン６がポケットに差した時に後退するように成されているが、軸１に対し固定されるものであってもよい。又、リフィール２０は、ノック式筆記具に限らず、軸先から筆記先端部を出没可能とする種々の筆記具に適用されるものである。
【００１６】
先ず、リフィール２０でチップ２１を上向きにした状態では先端ボール２２がチップのボール抱持部の内縁に密接しているので上向きでインキが逆流しない。
又、チップ２１を下向きにした状態でもインキの直流はない。
又、図３に示すように、リフィール２０が軸１内に収納された状態に於いては上記外軸部４９ｂの後端が当接ピン６の前端に当接して上記スプリング２５の後端を押圧前進させるので先端ボール２２がチップのボール抱持部の内縁に強く密接してインキの直流、逆流、乾燥を確実に防止可能とする。
又、図４に示すように、筆記先端部が軸先から突出した筆記状態に於いては外軸部４９ｂの後端が解放されるので先端ボール２２がチップ抱持部の内縁に弱く密接して筆感良く筆記ができる。
【００１７】
【発明の効果】
本発明のボールペンのリフィールの構成及び作用は以上の如くであり、低粘度の油性インキ又は基本的には低粘度である剪断減粘性を有した水性インキを使用したボテやムラ、掠れのない筆記性能に優れたノック式筆記具等の提供が可能となる。
又、低粘度のインキを使用することによって生ずる落下やノック衝撃に起因するインキの直流、逆流や筆記掠れの問題が確実に防止可能となり、携帯時に軸筒内や手や衣服等を汚す事故がなくなる。又、筆記時には筆感良く筆記が可能となる。
【図面の簡単な説明】
【図１】本発明の実施例であるボールペンのリフィールの縦断面図である。
【図２】チップ先端の要部拡大断面図である。
【図３】本発明のボールペンのリフィールを装着したノック式筆記具の全体を示す縦断面図で、筆記先端部の収納状態を示している。
【図４】筆記先端部突出時の要部半断面図である。
【図５】クリップ挟持時の要部の半断面図である。
【符号の説明】
１  軸
２  軸の窓部
３  軸の窓部
４  クリップ
６  当接ピン
６ａ  ストッパー片
６ｃ  基端部
６ｅ  凸部
１１  ノック棒
２０  リフィール
２１  チップ
２１ａ  カシメ部
２１ｂ  チャンネル
２１ｃ  中心孔
２２  先端ボール
２３  内孔
２４  軸部
２５  スプリング
２６  棒軸部
２７  継ぎ手
２８  小径部
２９  中径部
３０  大径部
３０ａ  鍔部
３１  軸部
３１ａ  内孔部
３２  突部
３３  通気溝
３４  受け体
３５  前軸部
３６  後軸部
３７  リブ
３８  流通溝
３９  後軸部
４０  孔
４１  針棒
４２  尾栓
４３  通気溝
４４  内孔
４５  内段部
４６  押し体
４７  孔
４８  段部
４９ａ  内軸部
４９ｂ  外軸部
５０  インキ収容管
５１  インキ
５２  フォロア
５３  フォロア棒
５４    貫通孔
【図１】
0003553699.tif 000002
【図２】
0003553699.tif 000003
【図３】
0003553699.tif 000004
【図４】
0003553699.tif 000005
【図５】
0003553699.tif 000006